(57)【要約】      （修正有）【課題】独創性と審美性とを備えた花形キャンドルを提供する。【解決手段】花芯の周囲に、１５枚の扇形の花弁小シート４を周方向に位置をずらせながら配置し、花弁小シート４の外周に、１０枚の半円形の花弁中シート５を周方向に位置をずらせながら配置し、さらに花弁中シート５の外周に、１０枚の花弁大シート６を周方向に位置をずらせながら配置して、花芯の中心孔に糸芯２を挿通する。このように作製される花形キャンドル１は、花弁が一枚一枚作製されており、しかも、各花弁の大きさを花の中心からの距離に応じて変更しているため、独創的で且つ実物の花のような審美性に優れたキャンドルとなっている。【選択図】図１
0003144007.tif 000002
【実用新案登録請求の範囲】
【請求項１】
パラフィンワックスまたはミツロウなどの蝋を用いて作製される花形キャンドルであって、
加温した蝋に染料を加えて着色し、この蝋を溶かしたうえで、ティースプーン一杯分の蝋を平坦面上で薄く楕円形状に伸ばして花弁用蝋シートとする、この一連の作業を繰り返して作製した、２０枚〜４０枚の前記花弁用蝋シートのうち４枚〜６枚を加温して球形に丸めるとともに、その中心部を貫通する中心孔を設けた花芯と、
前記花弁用蝋シートを中心より半径方向にギザギザに切って円周方向に３等分した、両側縁がギザギザの扇形の花弁小シートと、前記花弁用蝋シートを中心を通り直径方向にギザギザに切って２等分した半円形の花弁中シートと、前記花弁用蝋シートの周縁部の一部をギザギザに切り取った花弁大シートとを有し、これらの前記花弁小・中・大シートは、円弧側の中央部付近に２つ以上のタックを取り凹状に窪んだ椀状に形成され、
前記花芯の底部側の前記中心孔付近に、同中心孔が塞がらないように複数枚の前記花弁小シートの円弧側が円周方向に少しずつ位置をずらして配置され、その外周に前記花芯の底部側の前記中心孔付近に、前記中心孔が塞がらないように複数枚の前記花弁中シートの円弧側が円周方向に少しずつ位置をずらして配置され、さらにその外周に前記花芯の底部側の前記中心孔付近に、前記中心孔が塞がらないように複数枚の前記花弁大シートの円弧側が円周方向に少しずつ位置をずらして配置され、
これらの前記花弁小・中・大シートは、前記花弁用蝋シートを加温して溶融し、この溶融した前記花弁用蝋シート上に、前記花芯を底部側の前記中心孔付近を押し付けるように載置することで、前記花芯の底部側に一体に融着されており、蝋付きの糸芯が、前記花弁小・中・大シートを一体に融着している前記花弁用蝋シートを貫通して前記花芯の前記中心孔に挿通されるとともに、前記中心孔の上下に一部を引き出した状態で切断されていることを特徴とする花形キャンドル。
【請求項２】
前記花弁小シートを１５枚、前記花弁中シートを１０枚、前記花弁小シートを１０枚、それぞれ使用した芍薬形状のキャンドルであることを特徴とする請求項１に記載の花形キャンドル。
【考案の詳細な説明】
【技術分野】
【０００１】
本考案は、蝋で作る花形キャンドルに関する。
【背景技術】
【０００２】
一般的に、キャンドルは、糸芯を配置した型に、溶かした蝋を流し込むことによって作製されている（例えば、特許文献１参照）。
【特許文献１】特開平０９−２２７８９４号公報（第２頁、第１図）
【考案の開示】
【考案が解決しようとする課題】
【０００３】
しかしながら、溶かした蝋を型に流し込むだけでできるため手軽に作製できる反面、複雑な形状は型の製作が困難であるためにできず、比較的単純で画一的な形状のものになる傾向がある。
【０００４】
そこで、本考案は、独創性と審美性とを備えた花形キャンドルを提供することを目的としている。
【課題を解決するための手段】
【０００５】
請求項１記載の花形キャンドルは、パラフィンワックスまたはミツロウなどの蝋を用いて作製される花形キャンドルであって、
加温した蝋に染料を加えて着色し、この蝋を溶かしたうえで、ティースプーン一杯分の蝋を平坦面上で薄くの楕円形状に伸ばして花弁用蝋シートとする、この一連の作業を繰り返して作製した、２０枚〜４０枚の前記花弁用蝋シートのうち４枚〜６枚を加温して球形に丸めるとともに、その中心部を貫通する中心孔を設けた花芯と、
前記花弁用蝋シートを中心より半径方向にギザギザに切って円周方向に３等分した、両側縁がギザギザの扇形の花弁小シートと、前記花弁用蝋シートを中心を通り直径方向にギザギザに切って２等分した半円形の花弁中シートと、前記花弁用蝋シートの周縁部の一部をギザギザに切り取った花弁大シートとを設け、これらの前記花弁小・中・大シートは、円弧側の中央部付近に２つ以上のタックを取り凹状に窪んだ椀状に形成し、
前記花芯の底部側の前記中心孔付近に、同中心孔が塞がらないように複数枚の前記花弁小シートの円弧側を円周方向に少しずつ位置をずらして配置し、その外周に前記花芯の底部側の前記中心孔付近に、同中心孔が塞がらないように複数枚の前記花弁中シートの円弧側を円周方向に少しずつ位置をずらして配置し、さらにその外周に前記花芯の底部側の前記中心孔付近に、同中心孔が塞がらないように複数枚の前記花弁大シートの円弧側を円周方向に少しずつ位置をずらして配置し、
これらの前記花弁小・中・大シートを、前記花弁用蝋シートを加温して溶融し、この溶融した前記花弁用蝋シート上に、前記花芯を底部側の前記中心孔付近を押し付けるように載置して、前記花芯の底部側に一体に融着し、蝋付きの糸芯を、前記花弁小・中・大シートを一体に融着している前記花弁用蝋シートを貫通して前記花芯の前記中心孔に挿通するとともに、前記中心孔の上下に一部を引き出した状態で切断することを特徴としている。
【０００６】
この請求項１の花形キャンドルによれば、前記花芯からの距離に応じて大きさの異なる前記花弁小、中、大シートが一枚ずつ前記花芯の周囲に配置されているため、独創的で且つ実物の花のような審美性を有するキャンドルとなる。なお、ミツロウを用いれば、パラフィンワックスに比べてやわらかくて延びやすいため、前記花弁小・中・大シートの加工がしやすくなる。
【０００７】
請求項２記載の花形キャンドルは、花弁小シートを１５枚、花弁中シートを１０枚、花弁小シートを１０枚、それぞれ使用した芍薬形状のキャンドルであることを特徴としている。この請求項２の花形キャンドルによれば、実物の芍薬に似た形のキャンドルとなる。
【考案の効果】
【０００８】
請求項１の花形キャンドルは、独創性に富み、審美性に優れた芸術性の高い花形キャンドルを提供することができる。請求項２の花形キャンドルは、実物の芍薬のような審美性を備えたキャンドルを提供することができる。
【考案を実施するための最良の形態】
【０００９】
以下、本考案に係る花形キャンドルの実施形態について第１図〜第３図を参照しつつ説明する。
【００１０】
本実施形態の花形キャンドル１は芍薬の花を模したもので、第１図に示すように、糸芯２を支持している球状の花芯３が中心部に設けられており（第２図および第３図参照）、花芯３の周囲に、複数枚の薄い花弁シートを、それぞれ周方向に少しずつ位置をずらせて配置した形になっている。これらの花弁シートは、花芯３に近い内側に扇形の花弁小シート４が用いられ、その外周に半円形の花弁中シート５が用いられ、さらにその外周に楕円形の花弁大シート６が用いられていて、これらの花弁小・中・大シート４、５、６は底部において一体に融着されている。
【００１１】
次に、この花形キャンドル１の作製方法について第２図〜第３図を参照しつつ説明を行う。
１）材料のミツロウを入れたホーロー鍋を、約７０℃に設定した電磁調理器に載せてミツロウを溶かす。ミツロウは、パラフィンワックスに比べてやわらかく延ばしやすいため、加工がしやすい。
２）溶かしたミツロウを耐熱カップに入れ、ピンク色の染料を加えて着色する。
３）耐熱カップからスプーン７で１杯弱のミツロウをすくって、平坦な面においたクッキングシート８上に楕円形状に薄く延ばす（第２図（ａ））。
４）ミツロウが冷えて固化すれば、破れないようにクッキングシートからそっと剥がす。こうして、２４枚の楕円形の花弁用蝋シート９を形成する。
５）４０〜５０℃くらいのお湯をボールＢに溜め、上記の花弁用蝋シート９を４枚お湯に浸して加温しやわらかくする（第２図（ｂ））。
６）やわらかくした４枚の花弁用蝋シート９を重ね、小さく折り畳みながら丸めて直径３ｃｍ×高さ１．５ｃｍほどの楕円体に形を整えて花芯３を形成する（第２図（ｃ））。
７）花芯３に竹串１０で中心部を通るように上下方向に中心孔３ａを穿設する。この際、花芯３を貫通させた竹串１０は、回転させて糸芯２が通り易くなるように中心孔３ａを広げる（第２図（ｄ）、（ｅ））。
【００１２】
８）花弁用蝋シート９を５枚ボールのお湯に浸して加温しやわらかくしたのち、各花弁用蝋シート９を、切断跡がギザギザになるように中心から半径方向に指でちぎって円周方向に３等分し、両側縁がギザギザの扇形の花弁小シート４を作製する（第２図（ｆ））。
９）各花弁小シート４を、キッチンペーパで水分を拭き取ったのち、両側縁を巻いて形を整える（第２図（ｇ））。
１０）各花弁小シート４を、円弧側の中央部付近にタック４ａを２つ取り、凹状に窪んだ椀状に形成する（第２図（ｈ））。
【００１３】
１１）これらの花弁小シート４を、花芯３の周囲に、窪んだ面を内向きにして円弧側が花芯３の底面側の中心孔３ａ付近に位置するように配置する。この際、各花弁小シート４は、花芯３の中心孔３ａが隠れないようにして円周方向に少しずつ位置をずらしながら配置する（第３図（ａ））。１５枚全ての花弁小シート４を配置した状態が第３図（ｂ）である。
１２）花弁用蝋シート９を５枚ボールのお湯に浸して加温しやわらかくして、各花弁用蝋シート９を、切断跡がギザギザになるように指でちぎって長軸方向に２等分し、花弁中シート５を作製する（第３図（ｃ））。
１３）花弁中シート５を、キッチンペーパで水分を拭き取り、上記の工程９）および１０）で行ったのと同じようにして形を整えたのち、花弁小シート４の外周に、窪んだ面を内向きにして円弧側が花芯３の底面側の中心孔３ａ付近に位置するように配置する。この際、各花弁中シート５は、花芯３の中心孔３ａが隠れないようにして円周方向に少しずつ位置をずらしながら配置する。１０枚全ての花弁中シート５を配置した状態が第３図（ｄ）である。
１４）花弁用蝋シート９を１０枚ボールのお湯に浸して加温しやわらかくして、各花弁用蝋シート９の短軸方向の一端部を、切断跡がギザギザになるように指で長軸方向にちぎり花弁大シート６を形成する（第３図（ｅ））。
１５）各花弁大シート６を、キッチンペーパで水分を拭き取り、上記の工程９）および（１０）で行ったのと同じようにして形を整えたのち、花弁中シート５の外周に、窪んだ面を内向きにして円弧側が花芯３の底面側の中心孔３ａ付近に位置するように配置する。この際、各花弁大シート６は、花芯３の中心孔３ａが隠れないようにして円周方向に少しずつ位置をずらしながら配置する。１０枚全ての花弁大シート６を配置した状態が第３図（ｆ）である。
【００１４】
１６）耐熱カップのミツロウをスプーン７で１杯弱すくってキッチンペーパ８上に垂らし、スプーン７で直径約６ｃｍの円形に広げて花弁用蝋シート１１を１枚作る（第３図（ｇ））。
１７）この花弁用蝋シート１１に、ミツロウが冷えて固化する前に、花芯３を底部側の中心孔３ａ付近を押し付けるように載置し、各花弁小・中・大シート４、５、６を花芯３の底部側に一体に融着して底を安定させる（第３図（ｈ））。
１８）花弁用蝋シート１１の周縁部の余分な部分を取り除き、花弁用蝋シート１１に竹串等で穴を開け塞がれた花芯３の中心孔３ａを貫通させる。
１９）糸芯２を花芯３の中心孔３ａに上側から通し、糸芯２の先端部を中心孔３ａから１ｃｍ程度突出させ、この突出させた糸芯を９０°に折り曲げるとともに、反対側の火を着ける方を１ｃｍ程度残してカットすれば、芍薬の花形キャンドル１ができあがる（図１）。
【００１５】
このように作製される花形キャンドル１は、花弁が一枚一枚作製されており、しかも、各花弁の大きさを花の中心からの距離に応じて変更しているため、独創的で且つ実物の花のような審美性に優れたキャンドルとなっている。
【００１６】
なお、本実施形態は芍薬の花を模した花形キャンドルであるが、芍薬に限らずバラやラナンキュラス、カーネーション、ツバキなどの花弁の数が多い花にも適用することができる。
【図面の簡単な説明】
【００１７】
【図１】本考案に係る花形キャンドルの実施形態を示す斜め上方からの斜視図。
【図２】図１に示した花形キャンドルの作製方法の工程１）〜１０）を示す説明図。
【図３】図１に示した花形キャンドルの作製方法の工程１１）〜１９）を示す説明図。
【符号の説明】
【００１８】
１        花形キャンドル
２        糸芯
３        花芯
４        花弁小シート
５        花弁中シート
６        花弁大シート
９、１１  花弁用蝋シート
【図１】
0003144007.tif 000003
【図２】
0003144007.tif 000004
【図３】
0003144007.tif 000005